(57)【要約】【課題】電話網の回線使用料を抑制する。【解決手段】送信元のファックス装置１は、ＩＰ網７を経由して、送信先に送信する画像データをサーバに登録し（ステップＳ４０６）、送信先がサーバから画像データを取得するために用いる保管ＩＤをサーバから取得し（ステップＳ４０７）、電話網を経由して、取得された保管ＩＤを送信先に送信する（ステップＳ４１０）。【選択図】図３
2015023488.tif 000002
【特許請求の範囲】
【請求項１】
電話網とＩＰ網とに接続可能な通信装置であって、
前記ＩＰ網を経由して、送信先に送信する画像データをサーバに登録する登録手段と、
前記送信先が前記サーバから前記画像データを取得するために用いる管理情報を前記サーバから取得する管理情報取得手段と、
前記電話網を経由して、前記管理情報取得手段により取得された前記管理情報を前記送信先に送信する管理情報送信手段と
を備えたことを特徴とする通信装置。
【請求項２】
前記管理情報送信手段により送信された管理情報が前記送信先で正常に取得できなかった場合には、前記電話網を経由して前記画像データを送信することを特徴とする請求項１記載の通信装置。
【請求項３】
電話網とＩＰ網とに接続可能な通信装置であって、
前記電話網を経由して、送信元によって画像データが登録されたサーバから前記画像データを取得するために用いる管理情報を前記送信元から受信する管理情報受信手段と、
前記ＩＰ網を経由して、前記管理情報受信手段により受信された管理情報を用いて、前記サーバから前記画像データを取得する取得手段と
を備えたことを特徴とする通信装置。
【請求項４】
前記管理情報受信手段により受信された管理情報が正常に取得できなかった場合には、前記電話網を経由して前記画像データを受信することを特徴とする請求項３記載の通信装置。
【請求項５】
前記ＩＰ網を経由して通信する場合の通信路、または前記サーバに登録された画像データは暗号化されていることを特徴とする請求項１乃至請求項４のいずれか１項に記載の通信装置。
【請求項６】
電話網とＩＰ網とに接続可能な送信元通信装置と送信先通信装置を含む通信システムであって、
前記送信元通信装置は、
前記ＩＰ網を経由して、送信先通信装置に送信する画像データをサーバに登録する登録手段と、
前記送信先通信装置が前記サーバから前記画像データを取得するために用いる管理情報を前記サーバから取得する管理情報取得手段と、
前記電話網を経由して、前記管理情報取得手段により取得された前記管理情報を前記送信先通信装置に送信する管理情報送信手段と
を備え、
前記送信先通信装置は、
前記電話網を経由して、前記管理情報送信手段により送信された前記管理情報を受信する管理情報受信手段と、
前記ＩＰ網を経由して、前記管理情報受信手段により受信された管理情報を用いて、前記サーバから前記画像データを取得する取得手段と
を備えたことを特徴とする通信システム。
【請求項７】
前記管理情報受信手段により受信された管理情報が正常に取得できなかった場合には、前記電話網を経由して、前記送信元通信装置と前記送信先通信装置は前記画像データを送受信することを特徴とする請求項６記載の通信システム。
【請求項８】
電話網とＩＰ網とに接続可能な通信装置の通信方法であって、
前記ＩＰ網を経由して、送信先に送信する画像データをサーバに登録する登録ステップと、
前記送信先が前記サーバから前記画像データを取得するために用いる管理情報を前記サーバから取得する管理情報取得ステップと、
前記電話網を経由して、前記管理情報取得ステップにより取得された前記管理情報を前記送信先に送信する管理情報送信ステップと
を備えたことを特徴とする通信方法。
【請求項９】
前記管理情報送信ステップにより送信された管理情報が前記送信先で正常に取得できなかった場合には、前記電話網を経由して、前記画像データを送信することを特徴とする請求項８記載の通信方法。
【請求項１０】
電話網とＩＰ網とに接続可能な通信装置の通信方法であって、
前記電話網を経由して、送信元によって画像データが登録されたサーバから前記画像データを取得するために用いる管理情報を前記送信元から受信する管理情報受信ステップと、
前記ＩＰ網を経由して、前記管理情報受信ステップにより受信された管理情報を用いて、前記サーバから前記画像データを取得する取得ステップと
を備えたことを特徴とする通信方法。
【請求項１１】
前記管理情報受信ステップにより受信された管理情報が正常に取得できなかった場合には、前記電話網を経由して、前記画像データを受信することを特徴とする請求項１０記載の通信方法。
【請求項１２】
前記ＩＰ網を経由して通信する場合の通信路、または前記サーバに登録された画像データは暗号化されていることを特徴とする請求項８乃至請求項１１のいずれか１項に記載の通信方法。
【請求項１３】
電話網とＩＰ網とに接続可能な送信元通信装置と送信先通信装置を含む通信システムが実行する通信方法であって、
前記送信元通信装置が、前記ＩＰ網を経由して、送信先に送信する画像データをサーバに登録する登録ステップと、
前記送信元通信装置が、前記送信先通信装置が前記サーバから前記画像データを取得するために用いる管理情報を前記サーバから取得する管理情報取得ステップと、
前記送信元通信装置が、前記電話網を経由して、前記管理情報取得ステップにより取得された前記管理情報を前記送信先通信装置に送信する管理情報送信ステップと
前記送信先通信装置が、前記電話網を経由して、前記管理情報送信ステップにより送信された前記管理情報を受信する管理情報受信ステップと、
前記送信先通信装置が、前記ＩＰ網を経由して、前記管理情報受信ステップにより受信された管理情報を用いて、前記サーバから前記画像データを取得する取得ステップと
を備えたことを特徴とする通信方法。
【請求項１４】
前記管理情報受信ステップにより受信された管理情報が正常に取得できなかった場合には、前記電話網を経由して、前記送信元通信装置と前記送信先通信装置は前記画像データを送受信することを特徴とする請求項１３記載の通信方法。
【請求項１５】
電話網とＩＰ網とに接続可能な通信装置の通信方法をコンピュータに実行させるためのプログラムであって、
前記通信方法は、
前記ＩＰ網を経由して、送信先に送信する画像データをサーバに登録する登録ステップと、
前記送信先が前記サーバから前記画像データを取得するために用いる管理情報を前記サーバから取得する管理情報取得ステップと、
前記電話網を経由して、前記管理情報取得ステップにより取得された前記管理情報を前記送信先に送信する管理情報送信ステップと
を備えたことを特徴とするプログラム。
【請求項１６】
前記管理情報送信ステップにより送信された管理情報が前記送信先で正常に取得できなかった場合には、前記電話網を経由して、前記画像データを送信することを特徴とする請求項１５記載のプログラム。
【請求項１７】
電話網とＩＰ網とに接続可能な通信装置の通信方法をコンピュータに実行させるためのプログラムであって、
前記通信方法は、
前記電話網を経由して、送信元によって画像データが登録されたサーバから前記画像データを取得するために用いる管理情報を前記送信元から受信する管理情報受信ステップと、
前記ＩＰ網を経由して、前記管理情報受信ステップにより受信された管理情報を用いて、前記サーバから前記画像データを取得する取得ステップと
を備えたことを特徴とするプログラム。
【請求項１８】
前記管理情報受信ステップにより受信された管理情報が正常に取得できなかった場合には、前記電話網を経由して、前記画像データを受信することを特徴とする請求項１７記載のプログラム。
【請求項１９】
前記ＩＰ網を経由して通信する場合の通信路、または前記サーバに登録された画像データは暗号化されていることを特徴とする請求項１５乃至請求項１８のいずれか１項に記載のプログラム。
【発明の詳細な説明】
【技術分野】
【０００１】
本発明は、通信システム、通信装置及びその通信方法、並びにプログラムに関する。
【背景技術】
【０００２】
従来、電話網を利用して画像データを送信するファクシミリ装置において、インターネットなどのＩＰ網を経由して画像データを送信することのできる装置が考案されている。
【０００３】
具体的には、インターネットに接続されたサーバを用いて、ファクシミリ装置からｈｔｔｐプロトコルにより画像データを転送することで電話網を使わずに画像を送信する事ができるネットワークファックスなどがある（例えば、特許文献１参照）。
【先行技術文献】
【特許文献】
【０００４】
【特許文献１】特開平１０−６５８５３号公報
【発明の概要】
【発明が解決しようとする課題】
【０００５】
しかしながら、相手を電話番号で指定して、画像データを送信する場合には、電話回線を経由して通信が行われるため、電話回線がＰＳＴＮであろうとＮＧＮであろうと、時間による回線使用料が発生し、特にデータ量の多い複雑な画像データを転送する場合には通信料がかさむという問題があった。
【０００６】
本発明の目的は、電話網の回線使用料を抑制した通信システム、通信装置及びその通信方法、並びにプログラムを提供することにある。
【課題を解決するための手段】
【０００７】
上記目的を達成するために、請求項１の画像形成装置は、電話網とＩＰ網とに接続可能な通信装置であって、前記ＩＰ網を経由して、送信先に送信する画像データをサーバに登録する登録手段と、前記送信先が前記サーバから前記画像データを取得するために用いる管理情報を前記サーバから取得する管理情報取得手段と、前記電話網を経由して、前記管理情報取得手段により取得された前記管理情報を前記送信先に送信する管理情報送信手段とを備えたことを特徴とする。
【発明の効果】
【０００８】
本発明によれば、ＩＰ網を経由して、送信先に送信する画像データをサーバに登録し、送信先がサーバから画像データを取得するために用いる管理情報を前記サーバから取得し、電話網を経由して、取得された管理情報を送信先に送信する。その結果、画像データの送受信では電話網が用いられないため、電話網の回線使用料を抑制することができる。
【図面の簡単な説明】
【０００９】
【図１】本発明の実施の形態に係る通信システムの概略構成を示す図である。
【図２】図２（Ａ）は、図１におけるファックス装置の概略構成を示す図であり、（Ｂ）は、モデムの概略構成を示す図である。
【図３】図１のファックス装置のＣＰＵにより実行される送信元の処理の手順を示すフローチャートである。
【図４】図１のファックス装置２のＣＰＵにより実行される受信処理の手順を示すフローチャートである。
【発明を実施するための形態】
【００１０】
以下、本発明の実施の形態について図面を参照しながら詳述する。
【００１１】
図１は、本発明の実施の形態に係る通信システム１００の概略構成を示す図である。
【００１２】
図１において、通信システム１００は、ファックス装置１，２、ファックスサーバ３、これらを接続するＩＰ網７、及びファックス装置１，２を接続する電話網６、ファイアウォール４，５で構成される。
【００１３】
このうち、ファックス装置１，２は音声回線を利用した従来のＧ３モードでの送受信を行うことが可能であるとともに、ファイアウォール４，５を通してＩＰ接続によりＩＰ網を経由し、ファックスサーバ３へのネットワーク接続が可能となっている。
【００１４】
ファックスサーバ３はサーバコンピュータであって、ネットワーク経由で受けたコマンドに応じてデータの蓄積や取り出しを行うものである。なお、電話網６は一般には公衆電話回線（ＰＳＴＮ）を想定しているが、音声通話に使用されかつ電話番号が付与されている電話網であれば何でもよい。
【００１５】
このように、本発明の通信装置に対応するファックス装置１，２は、電話網６とＩＰ網７とに接続可能となっている。
【００１６】
図２（Ａ）は、図１におけるファックス装置１，２の概略構成を示す図であり、（Ｂ）は、モデム２０４の概略構成を示す図である。
【００１７】
図２では、ファックス装置１を用いて説明する。ファックス装置１は、ＣＰＵ２０１、ＲＯＭ２０２、ＲＡＭ２０３、モデム２０４、ＮＣＵ２０５、ハンドセット２０６、操作部２０７、画像読取部２０８、印刷部２０９、ＮＶＲＡＭ２１０、ＲＴＣ２１１、ＬＡＮインタフェース２１２で構成され、それらはバスで接続されている。
【００１８】
ＣＰＵ２０１は、ＲＯＭ２０２に記憶され、ＲＡＭ２０３に展開されたプログラムに従ってファックス装置１全体を制御する。ＲＯＭ２０２には、各種プログラムなどが記憶されている。ＲＡＭ２０３は、各種プログラムやデータが記憶される。モデム２０４は、音声信号を変調してデジタルデータを送受信するものであり、ＮＣＵ２０５を操作する機能も備えている。
【００１９】
回線制御部であるＮＣＵ２０５は電話網の制御を行うものであり、回線接続、ダイアル発信、呼び出し検出、及びハンドセット２０６とモデム２０４の切替などを実行する。ハンドセット２０６はユーザが通常の電話として相手と会話する際に使用されるいわゆる受話器である。
【００２０】
操作部２０７は、スイッチ、タッチパネル、ＬＥＤ、及び液晶表示部で構成され、ユーザがファックス装置１に対して指示を与えるために操作されるとともに、ユーザに対して動作状態などを表示する。
【００２１】
画像読取部２０８は、原稿を読み取り、画像データに変換する。本実施の形態では、送信先への原稿を読み取るために用いられる。印刷部２０９は、画像データを紙などの記録紙に印刷する。本実施の形態では、送信先から受信した画像データを印刷するために用いられる。
【００２２】
ＮＶＲＡＭ（Non Volatile RAM）２１０は、ユーザにより設定されたデータなどを記憶する。ＲＴＣ（Real Time Clock）２１１は、現在時刻を常にカウントし続けている時計であって、プログラムから時刻を読み出すことにより時間経過などを確認することができる。
【００２３】
ＬＡＮインタフェース２１２は、ＬＡＮに接続するためのインターフェースで、イーサネットコントローラ及び物理層接続ＩＣなどから構成され、標準的なネットワークとデータ通信ができるとともに、ファイアウォール４を経由して外部のＩＰ網と通信を行うことができる。
【００２４】
次いで、（Ｂ）のモデム２０４について説明する。モデム２０４は、ＮＣＵ制御部５０１、ＣＯＤＥＣ５０２、ＴＯＮＥ生成検出部５０３、及びＤＴＭＦ生成検出部５０４で構成される。
【００２５】
このうち、ＮＣＵ制御部５０１はＮＣＵ２０５の動作を制御する回路で、回線閉結や呼び出し信号の検出、ハンドセット２０６の接続切替などを行う。
【００２６】
ＣＯＤＥＣ５０２は送信データによりキャリア信号を変調してアナログ信号にデジタルデータを乗せて送出するとともに、受信されたアナログ信号を分離して受信データを復元する。
【００２７】
ＴＯＮＥ生成検出部５０３は単一周波数のトーン信号を生成し、また検出する回路である。
【００２８】
ＤＴＭＦ生成検出部５０４はデュアルトーン・マルチ周波数で０〜９，＊＃ＡＢＣＤの１６種類の信号を生成し、また検出する回路である。後述するフローチャートで用いられる保管ＩＤは、ＤＴＭＦ信号により伝達される。
【００２９】
以下の説明では、ファックス装置１を送信元通信装置、ファックス装置２を送信先通信装置として説明する。
【００３０】
図３は、図１のファックス装置１のＣＰＵ２０１により実行される送信元の処理の手順を示すフローチャートである。
【００３１】
図３（Ａ）は、ＣＰＵ２０１により実行される登録処理の手順を示すフローチャートである。
【００３２】
図３（Ａ）において、自機に割り振られた電話番号を操作部２０７から入力する（ステップＳ３０１）。図１の例では、０３−１１１１−２２２２がその電話番号となる。
【００３３】
次いで、入力された電話番号を元にハッシュ値Ｈを生成し、ＮＶＲＡＭ２１０に記憶する（ステップＳ３０２）。
【００３４】
ハッシュ値Ｈは電話番号からハッシュ関数により導出される文字列であって、電話番号ごとに異なる文字列であるとともに、ハッシュ関数は一方向性関数であるので、ハッシュ値Ｈから元の電話番号を推定することが極めて困難である。変換に使用されるアルゴリズムは例えばＳＨＡ−２５６などが好適である。
【００３５】
次いで、自機固有となる公開鍵Ｐおよび秘密鍵Ｓを生成し、ＮＶＲＡＭ２１０に記憶する（ステップＳ３０３）。ここで述べた公開鍵Ｐ、秘密鍵Ｓは公開鍵暗号方式で使用される暗号鍵のペアであり、公開鍵Ｐは他機へ公開してデータ暗号化に使用させ、秘密鍵Ｓは自機が保管するのみで暗号化されたデータの復号に用いられる。
【００３６】
公開鍵Ｐおよび秘密鍵Ｓについては、他の装置で同じ鍵が生成されないように生成アルゴリズムで工夫されている。
【００３７】
そしてＬＡＮインタフェース２１２を経由してＩＰ網からファックスサーバ３を呼び出し、自機の電話番号に対応するハッシュ値Ｈ、及び公開鍵Ｐをペアとして、ファックスサーバ３に記憶させることで登録し（ステップＳ３−４）、本処理を終了する。
【００３８】
なおここで、ハッシュ値Ｈ、公開鍵Ｐ、及び秘密鍵Ｓをファックス装置１で生成するものとして説明したが、ファックス装置１にハッシュ関数や鍵生成アルゴリズムを持たせる代わりに、ファックスサーバ３にそれらの生成機能を持たせる方法でも同じ効果が得られる。
【００３９】
またファックス装置１とファックスサーバ３の間の通信方式については、盗み聞きによる漏洩を防止するために、暗号化された通信プロトコルを用いるものとする。これはＷｅｂサーバとブラウザ間で行われる暗号通信で一般的な手法である。
【００４０】
以後、ファックス装置１，２とファックスサーバ３との間の通信は暗号化されているものとして説明を行う。このように、本実施の形態では、ＩＰ網７を経由して通信する場合の通信路、またはサーバに登録された画像データは暗号化されているようになっている。
【００４１】
図３（Ｂ）は、ＣＰＵ２０１により実行される送信処理の手順を示すフローチャートである。
【００４２】
図３の送信処理では、まず送信開始をユーザがファックス装置１に指示すると、ファックス装置１は画像読取部２０８で原稿を画像データに変換してＲＡＭ２０３に記憶するとともに、送信先の電話番号を操作部２０７から入力し、ＲＡＭ２０３に記憶する。
【００４３】
こうして送信する画像データが準備できると、ファックスサーバ３に対してＬＡＮインタフェース２１２を経由して問い合わせコマンドを発行し、送信先電話番号が登録済みか否かを問い合わせる（ステップＳ４０２）。
【００４４】
この処理では、送信先電話番号からハッシュ値Ｈの導出をファックス装置１側で行って、ハッシュ値Ｈがファックスサーバ３に登録されているか否か確認するよう動作する。このハッシュ値を問い合わせる代わりに送信先電話番号を直接問い合わせ、ファックスサーバ３側でハッシュ値を導出して登録済みか否かを確認してもよい。
【００４５】
ファックスサーバ３から、登録済みか否かを示す回答を受信すると、登録済みか否か判別する（ステップＳ４０３）。
【００４６】
ステップＳ４０３の判別の結果、登録済みでない場合には（ステップＳ４０３でＮＯ）、ステップＳ４１８に進み、Ｇ３モードによるファックス送信を実行する。
【００４７】
一方、ステップＳ４０３の判別の結果、登録済みの場合には（ステップＳ４０３でＹＥＳ）、ファックスサーバ３から送信先であるファックス装置２の電話番号のハッシュ値とペアで登録されている公開鍵Ｐを取得する（ステップＳ４０４）。
【００４８】
次いで、ＲＡＭ２０３に記憶されている送信する画像データを、取得した公開鍵Ｐで暗号化する（ステップＳ４０５）。
【００４９】
そして、送信しようとする暗号化済み画像データをファックスサーバ３に登録し（ステップＳ４０６）、ファックスサーバ３から登録した暗号化済み画像データへのポインタ情報である保管ＩＤを取得する（ステップＳ４０７）。この保管ＩＤの例として、ＵＲＬが挙げられる。
【００５０】
上記ステップＳ４０６は、ＩＰ網７を経由して、送信先に送信する画像データをサーバに登録する登録手段に対応する。またステップＳ４０７は、送信先がサーバから画像データを取得するために用いる管理情報である保管ＩＤをサーバから取得する管理情報取得手段に対応する。
【００５１】
次いで、電話網６を経由して送信先のファックス装置２を呼び出す（ステップＳ４０８）。ファックス装置２が応答すると、ファックス装置１は保管ＩＤを音声信号を変調してファックス装置２に送信する（ステップＳ４１０）。このステップＳ４１０は、電話網６を経由して、取得された保管ＩＤを送信先に送信する管理情報送信手段に対応する。
【００５２】
ファックス装置２は、保管ＩＤを正常に受信できた場合には、ファックス装置１にＯＫを返信し、保管ＩＤを正常に受信できない場合には、ファックス装置１にＮＧを返信する。
【００５３】
次いで、ファックス装置２から返信を受信し（ステップＳ４２５）、ＯＫを受信したか否か判別する（ステップＳ４１２）。ステップＳ４１２の判別の結果、ＯＫを受信した場合には（ステップＳ４１２でＹＥＳ）、本処理を終了する。
【００５４】
一方、ステップＳ４１２の判別の結果、ＯＫを受信しなかった場合には（ステップＳ４１２でＹＥＳ）、Ｇ３ファックス手順によって、まずＣＮＧ信号を送信し（ステップＳ４１３）、ＣＥＤ信号を受信する（ステップＳ４２０）。
【００５５】
そして、Ｇ３ファックス手順によるファックス送信処理を実行して（ステップＳ４２２）、本処理を終了する。なお、上述したステップＳ４１２で否定判別される場合には、ＮＧを受信した場合に限らず、ステップＳ４２５で返信を受信するまでの待ち時間がタイムアウトした場合なども含まれる。このように、本実施の形態では、送信された管理情報が送信先で正常に取得できなかった場合には、電話網６を経由して、画像データを送信するようになっている。
【００５６】
図４は、図１のファックス装置２のＣＰＵ２０１により実行される受信処理の手順を示すフローチャートである。
【００５７】
図４において、ファックス装置１から呼び出しを検出すると、受信動作に入り（ステップＳ４０９）、音声信号に変調された保管ＩＤを受信する（ステップＳ４１１）。このステップＳ４１１は、電話網６を経由して、送信元によって画像データが登録されたサーバから画像データを取得するために用いる管理情報を送信元から受信する管理情報受信手段に対応する。
【００５８】
次いで、音声信号に変調された保管ＩＤから、保管ＩＤを正常に取得できたか否か判別する（ステップＳ４１３）。
【００５９】
ステップＳ４１３の判別の結果、保管ＩＤを正常に取得できた場合には（ステップＳ４１３でＹＥＳ）、ファックス装置１にＯＫを返信し（ステップＳ４２６）、取得した保管ＩＤでファックスサーバ３から暗号化済み画像データを取得する（ステップＳ４１４）。このステップＳ４１４は、ＩＰ網７を経由して、受信された管理情報を用いて、サーバから画像データを取得する取得手段に対応する。
【００６０】
次いで、取得した暗号化済み画像データを、自機の秘密鍵Ｓで復号することで（ステップＳ４１５）、平文となった画像データを取得する。
【００６１】
そして、取得した画像データを印刷部２０９で印刷し（ステップＳ４１６）、ファックスサーバ３に対して保管ＩＤの画像データを正常に受信したことを通知して（ステップＳ４１７）、本処理を終了する。
【００６２】
一方、ステップＳ４１３の判別の結果、保管ＩＤを正常に取得できなかった場合には（ステップＳ４１３でＮＯ）、ファックス装置１にＮＧを返信し（ステップＳ４２７）、Ｇ３ファックス手順によって、まずＣＮＧ信号を受信し（ステップＳ４１９）、ＣＥＤ信号を送信する（ステップＳ４２１）。
【００６３】
そして、Ｇ３ファックス手順によるファックス受信処理を実行して（ステップＳ４２３）、取得した画像データを印刷部２０９で印刷し（ステップＳ４２４）、本処理を終了する。このように、本実施の形態では、受信された管理情報が正常に取得できなかった場合には、電話網６を経由して、画像データを受信するようになっている。
【００６４】
なお、上記ステップＳ４１６，４２４では画像データを印刷したが、予め指定されたコンピュータへ画像データを転送してもよい。
【００６５】
また、ステップＳ４１１では、上述したように保管ＩＤがＤＴＭＦ信号により受信されるが、意味のある保管ＩＤが復元できた場合は保管ＩＤを正常に取得できたと判別される。
【００６６】
一方、保管ＩＤが正常に受信できなかった場合、ＴＯＮＥ生成検知部５０３によりＣＮＧの送受、ＣＥＤの送受を行うことで、Ｇ３ファックス手順を実行することができる。なお本実施の形態では、保管ＩＤをＤＴＭＦ信号で送信したが、保管ＩＤを確実に送受できる方式であれば方式は問わない。
【００６７】
また、送信元のファックス装置１は、ＲＴＣ２１１により一定時間が経過が確認されると、ファックスサーバ３に問い合わせを行うことで、送信先のファックス装置２が正常に画像データを取得したか否かを確認できる。
【００６８】
さらに、ファックスサーバ３は一定時間以上、ファックス装置２から画像データを取得する要求がなかった場合は、画像データを削除し、画像データの送信に失敗したことを示す情報を記憶しておく。
【００６９】
また、ファックス装置１，２は、ファックスサーバ３に図３（Ａ）で説明したハッシュ値Ｈ及び公開鍵Ｐが正しく登録されているか否かを、例えば１日ごとにファックスサーバ３から自機のハッシュ値Ｈ及び公開鍵Ｐを取得し、ＮＶＲＡＭ２１０に記憶されたそれらと照合するようにしてもよい。
【００７０】
その場合、ファックスサーバ３は、例えば３日以内など予め定められた時間内にファックス装置１，２がハッシュ値Ｈ及び公開鍵Ｐを取得しない場合には、ハッシュ値Ｈ及び公開鍵Ｐを無効化することで、ハッシュ値Ｈ及び公開鍵Ｐの信頼性を保つことができる。
【００７１】
以上により、本実施の形態に係るファックス装置同士であれば、電話番号のみによる送信先の指定により、指定された電話番号の相手に、ＩＰ網を経由して送信することが可能となる。
【００７２】
また、サーバに登録する自機の電話番号をハッシュ値とし、公開鍵暗号方式を用いて送信データを暗号化することによりサーバからデータが漏洩したとしても第三者に情報漏洩が起きないようになっている。
【００７３】
以上説明したように、本実施の形態によれば電話番号を用いて画像を送信する場合、電話回線で相手に伝える情報を最小限にとどめることにより電話回線の使用時間を短縮し、大幅に回線使用料を削減することが可能となる。
【００７４】
本実施の形態によれば、送信元のファックス装置１は、ＩＰ網７を経由して、送信先に送信する画像データをサーバに登録し（ステップＳ４０６）、送信先がサーバから画像データを取得するために用いる保管ＩＤをサーバから取得し（ステップＳ４０７）、電話網を経由して、取得された保管ＩＤを送信先に送信する（ステップＳ４１０）。
【００７５】
また、本実施の形態によれば、送信先のファックス装置２は、電話網６を経由して、送信元によって画像データが登録されたサーバから画像データを取得するために用いる保管ＩＤを送信元から受信し、ＩＰ網７を経由して、受信された保管ＩＤを用いて、サーバから画像データを取得する。
【００７６】
このように、画像データの送受信では電話網が用いられないため、電話網の回線使用料を抑制することができる。
【００７７】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００７８】
１００  通信システム
２０１  ＣＰＵ
２０２  ＲＯＭ
２０３  ＲＡＭ
２０４  ＭＯＤＥＭ
２０５  ＮＣＵ
２１０  ＮＶＲＡＭ
【図１】
2015023488.tif 000003
【図２】
2015023488.tif 000004
【図３】
2015023488.tif 000005
【図４】
2015023488.tif 000006